(57)【要約】【課題】受信した映像のみから静止テロップを再現することができるテロップ再生装置を提供する。【解決手段】静止テロップを映像から検出するテロップ検出手段１と、静止テロップに対応する領域のテロップ画像を映像から切り出すテロップ領域切り出し手段２と、テロップ画像を記憶するテロップ記憶手段３と、テロップ画像の映像における座標を含むテロップ情報をテロップ画像に関連付けて記憶するテロップ情報記憶手段４と、消滅した前記静止テロップに対応する領域の座標とテロップ情報に含まれる座標とが一致する合成対象のテロップ画像を、テロップ情報に関連付けられたテロップ画像の中から選択するテロップ選択手段９と、合成対象のテロップ画像を映像と合成するテロップ合成手段１０と、を備える。【選択図】        図２
2008199464.tif 000002
【特許請求の範囲】
【請求項１】
映像中における表示位置が一定時間以上変化しない静止テロップの消滅または出現を前記映像から検出するテロップ検出手段と、
出現した前記静止テロップに対応する領域のテロップ画像を前記映像から切り出すテロップ領域切り出し手段と、
前記テロップ画像を記憶するテロップ記憶手段と、
前記テロップ画像の前記映像における座標を含むテロップ情報を前記テロップ画像に関連付けて記憶するテロップ情報記憶手段と、
消滅した前記静止テロップに対応する領域の座標と前記テロップ情報に含まれる座標とが一致する合成対象の前記テロップ画像を、前記テロップ情報に関連付けられた前記テロップ画像の中から選択するテロップ選択手段と、
合成対象の前記テロップ画像を前記映像と合成するテロップ合成手段と、
を備えることを特徴とするテロップ再生装置。
【請求項２】
前記テロップ選択手段は、新たに出現した前記静止テロップに対応する領域の座標と既に前記映像に対して合成されている前記テロップ画像の前記テロップ情報に含まれる座標との少なくとも一部分が重複している場合に、前記テロップ合成手段に対して既に前記映像に対して合成されている前記テロップ画像の合成を取り止めるように制御する、
ことを特徴とする請求項１記載のテロップ再生装置。
【請求項３】
前記静止テロップ以外の前記映像の変化点を検出する映像変化検出手段を更に備え、
前記テロップ選択手段は、前記映像の変化点が検出された場合に、前記テロップ合成手段に対して既に前記映像に対して合成されている前記テロップ画像の合成を取り止めるように制御する、
ことを特徴とする請求項１または２記載のテロップ再生装置。
【請求項４】
前記映像変化検出手段は、前記映像のスロー再生を検出するスロー再生検出手段を備えており、
前記テロップ選択手段は、前記映像のスロー再生が検出された場合に、前記テロップ合成手段に対して既に前記映像に対して合成されている前記テロップ画像の合成を取り止めるように制御する、
ことを特徴とする請求項３記載のテロップ再生装置。
【請求項５】
前記映像変化検出手段は、前記映像のシーンチェンジを検出するシーンチェンジ検出手段を備えており、
前記テロップ選択手段は、前記映像のシーンチェンジが検出された場合に、前記テロップ合成手段に対して既に前記映像に対して合成されている前記テロップ画像の合成を取り止めるように制御する、
ことを特徴とする請求項３記載のテロップ再生装置。
【請求項６】
前記映像変化検出手段は、前記映像がＣＭ映像である区間を検出するＣＭ検出手段を備えており、
前記テロップ選択手段は、前記映像がＣＭ映像である区間が検出された場合に、前記テロップ合成手段に対して当該区間については既に前記映像に対して合成されている前記テロップ画像の合成を取り止めるように制御する、
ことを特徴とする請求項３記載のテロップ再生装置。
【請求項７】
前記映像変化検出手段は、前記映像に含まれる音声中の歓声が上がった区間を検出する歓声検出手段を備えており、
前記テロップ選択手段は、前記映像に含まれる音声中の歓声が上がった区間が検出された場合に、前記テロップ合成手段に対して既に前記映像に対して合成されている前記テロップ画像の合成を取り止めるように制御する、
ことを特徴とする請求項３記載のテロップ再生装置。
【請求項８】
前記テロップ情報記憶手段は、合成を取り止めると判定された前記テロップ画像およびその前記テロップ情報を削除し、新たに出現した前記静止テロップに対応する前記テロップ画像およびその前記テロップ情報を記憶する、
ことを特徴とする請求項１ないし７のいずれか一記載のテロップ再生装置。
【請求項９】
前記テロップの非表示または表示の属性を前記テロップ情報として登録するための操作入力を受け付けるテロップ表示操作入力手段を更に備え、
前記テロップ選択手段は、前記テロップ情報がテロップ表示属性になっている場合に、前記テロップ合成手段に対して当該テロップ情報に関連付けられた前記テロップ画像と前記映像とを合成するように制御する、
ことを特徴とする請求項１ないし７のいずれか一記載のテロップ再生装置。
【請求項１０】
前記テロップ情報記憶手段は、前記テロップの出現時刻も前記テロップ情報として登録し、
前記テロップ選択手段は、前記テロップ表示操作入力手段で受け付けた操作入力がテロップ表示属性であった場合、前記テロップ合成手段に対して出現時刻が直近の前記テロップ情報に関連付けられた前記テロップ画像と前記映像とを合成するように制御する、
ことを特徴とする請求項９記載のテロップ再生装置。
【請求項１１】
前記テロップ選択手段は、前記テロップ表示操作入力手段で受け付けた操作入力がテロップ表示属性である度に、前記テロップ合成手段に対して表示中の前記テロップ画像の出現時刻に対し直前の出現時刻の前記テロップ情報に関連付けられた前記テロップ画像と前記映像とを合成するように制御する、
ことを特徴とする請求項１０記載のテロップ再生装置。
【請求項１２】
前記テロップの非再現の属性を前記テロップ情報として登録するための操作入力を受け付ける非再現登録手段を更に備え、
前記テロップ選択手段は、前記テロップ情報が非再現属性になっている場合には、前記テロップ合成手段に対して当該テロップ情報に関連付けられた前記テロップ画像を前記映像と合成しないように制御する、
ことを特徴とする請求項１ないし１１のいずれか一記載のテロップ再生装置。
【請求項１３】
表示部に表示される映像中における表示位置が一定時間以上変化しない静止テロップの消滅または出現を前記映像から検出するテロップ検出機能と、
出現した前記静止テロップに対応する領域のテロップ画像を前記映像から切り出すテロップ領域切り出し機能と、
前記テロップ画像を記憶部に記憶するテロップ記憶機能と、
前記テロップ画像の前記映像における座標を含むテロップ情報を前記テロップ画像に関連付けて前記記憶部に記憶するテロップ情報記憶機能と、
消滅した前記静止テロップに対応する領域の座標と前記テロップ情報に含まれる座標とが一致する合成対象の前記テロップ画像を、前記テロップ情報に関連付けられた前記テロップ画像の中から選択するテロップ選択機能と、
合成対象の前記テロップ画像を前記映像と合成するテロップ合成機能と、
をコンピュータに実行させることを特徴とするプログラム。
【請求項１４】
表示部に表示される映像中における表示位置が一定時間以上変化しない静止テロップの消滅または出現を前記映像から検出するテロップ検出工程と、
出現した前記静止テロップに対応する領域のテロップ画像を前記映像から切り出すテロップ領域切り出し工程と、
前記テロップ画像を記憶部に記憶するテロップ記憶工程と、
前記テロップ画像の前記映像における座標を含むテロップ情報を前記テロップ画像に関連付けて前記記憶部に記憶するテロップ情報記憶工程と、
消滅した前記静止テロップに対応する領域の座標と前記テロップ情報に含まれる座標とが一致する合成対象の前記テロップ画像を、前記テロップ情報に関連付けられた前記テロップ画像の中から選択するテロップ選択工程と、
合成対象の前記テロップ画像を前記映像と合成するテロップ合成工程と、
を含むことを特徴とするテロップ再生方法。
【発明の詳細な説明】
【技術分野】
【０００１】
本発明は、テロップ再生装置、プログラムおよびテロップ再生方法に関する。
【背景技術】
【０００２】
一般に、スポーツ中継の映像では、得点等の表示位置が一定時間以上変化しない静止テロップが表示される。例えば、野球の中継では、チーム名、得点、カウント、イニング数、ランナー位置等を示す静止テロップを表示することで、試合の状況を把握することができる。
【０００３】
ところが、この静止テロップは常時表示されるものとは限らず、競技の途中で静止テロップの表示が消滅する場合がある。そして、静止テロップ表示中に一旦視聴を中断し、視聴を再開した際に静止テロップの表示が消滅している場合には、競技状況を直ちに把握できないという問題がある。
【０００４】
そこで、静止テロップを常時表示することを可能とする従来技術として、特許文献１記載の信号処理装置で開示されている技術がある。この特許文献１記載の信号処理装置で開示されている技術によれば、受信した映像信号内に映像信号とは独立した所定の画像を表示することができるようにしたことにより、静止テロップを常時表示することを可能としている。
【０００５】
【特許文献１】特開２００３−３３３４４８号公報
【発明の開示】
【発明が解決しようとする課題】
【０００６】
しかしながら、特許文献１記載の信号処理装置で開示されている技術によれば、得点等の静止テロップを常時表示するには、受信する映像とは異なるチャンネルを使用して静止テロップを送受信する必要があり、コストがかかるという問題がある。
【０００７】
本発明は、上記に鑑みてなされたものであって、受信した映像のみから静止テロップを再現することができるテロップ再生装置、プログラムおよびテロップ再生方法を提供することを目的とする。
【課題を解決するための手段】
【０００８】
上述した課題を解決し、目的を達成するために、本発明のテロップ再生装置は、映像中における表示位置が一定時間以上変化しない静止テロップの消滅または出現を前記映像から検出するテロップ検出手段と、出現した前記静止テロップに対応する領域のテロップ画像を前記映像から切り出すテロップ領域切り出し手段と、前記テロップ画像を記憶するテロップ記憶手段と、前記テロップ画像の前記映像における座標を含むテロップ情報を前記テロップ画像に関連付けて記憶するテロップ情報記憶手段と、消滅した前記静止テロップに対応する領域の座標と前記テロップ情報に含まれる座標とが一致する合成対象の前記テロップ画像を、前記テロップ情報に関連付けられた前記テロップ画像の中から選択するテロップ選択手段と、合成対象の前記テロップ画像を前記映像と合成するテロップ合成手段と、を備える。
【０００９】
また、本発明のプログラムは、表示部に表示される映像中における表示位置が一定時間以上変化しない静止テロップの消滅または出現を前記映像から検出するテロップ検出機能と、出現した前記静止テロップに対応する領域のテロップ画像を前記映像から切り出すテロップ領域切り出し機能と、前記テロップ画像を記憶部に記憶するテロップ記憶機能と、前記テロップ画像の前記映像における座標を含むテロップ情報を前記テロップ画像に関連付けて前記記憶部に記憶するテロップ情報記憶機能と、消滅した前記静止テロップに対応する領域の座標と前記テロップ情報に含まれる座標とが一致する合成対象の前記テロップ画像を、前記テロップ情報に関連付けられた前記テロップ画像の中から選択するテロップ選択機能と、合成対象の前記テロップ画像を前記映像と合成するテロップ合成機能と、をコンピュータに実行させる。
【００１０】
また、本発明のテロップ再生方法は、表示部に表示される映像中における表示位置が一定時間以上変化しない静止テロップの消滅または出現を前記映像から検出するテロップ検出工程と、出現した前記静止テロップに対応する領域のテロップ画像を前記映像から切り出すテロップ領域切り出し工程と、前記テロップ画像を記憶部に記憶するテロップ記憶工程と、前記テロップ画像の前記映像における座標を含むテロップ情報を前記テロップ画像に関連付けて前記記憶部に記憶するテロップ情報記憶工程と、消滅した前記静止テロップに対応する領域の座標と前記テロップ情報に含まれる座標とが一致する合成対象の前記テロップ画像を、前記テロップ情報に関連付けられた前記テロップ画像の中から選択するテロップ選択工程と、合成対象の前記テロップ画像を前記映像と合成するテロップ合成工程と、を含む。
【発明の効果】
【００１１】
本発明によれば、映像中における表示位置が一定時間以上変化しない静止テロップの消滅または出現を映像から検出し、出現した静止テロップに対応する領域のテロップ画像を映像から切り出し、切り出したテロップ画像を記憶し、テロップ画像の映像における座標を含むテロップ情報をテロップ画像に関連付けて記憶し、消滅した静止テロップに対応する領域の座標とテロップ情報に含まれる座標とが一致する合成対象のテロップ画像を、テロップ情報に関連付けられたテロップ画像の中から選択し、合成対象のテロップ画像を映像と合成することにより、受信した映像のみから静止テロップを再現することができる、という効果を奏する。
【発明を実施するための最良の形態】
【００１２】
以下に添付図面を参照して、この発明にかかるテロップ再生装置、プログラムおよびテロップ再生方法の最良な実施の形態を詳細に説明する。
【００１３】
本発明の実施の一形態を図１ないし図２７に基づいて説明する。本実施の形態はテロップ再生装置としてパーソナルコンピュータを適用した例である。
【００１４】
図１は、本発明の実施の一形態にかかるテロップ再生装置１００の構成を示すブロック図である。テロップ再生装置１００は、情報処理を行うＣＰＵ（Central Processing Unit）１０１、ＢＩＯＳなどを記憶した読出し専用メモリであるＲＯＭ（Read Only Memory）１０２、各種データを書換え可能に記憶するＲＡＭ（Random Access Memory）１０３、各種データベースとして機能するとともに各種のプログラムを格納するＨＤＤ（Hard Disk Drive）１０４、記憶媒体１１０を用いて情報を保管したり外部に情報を配布したり外部から情報を入手するためのＤＶＤドライブ等の媒体駆動装置１０５、ネットワーク２００を介して外部の他のコンピュータと通信により情報を伝達するための通信制御装置１０６、処理経過や結果等を操作者に表示するＬＣＤ（Liquid Crystal Display）等の表示部１０７、並びに操作者がＣＰＵ１０１に命令や情報等を入力するためのキーボードやマウス等の入力部１０８等から構成されており、これらの各部間で送受信されるデータをバスコントローラ１０９が調停して動作する。
【００１５】
このようなテロップ再生装置１００では、ユーザが電源を投入するとＣＰＵ１０１がＲＯＭ１０２内のローダーというプログラムを起動させ、ＨＤＤ１０４よりＯＳ（Operating System）というコンピュータのハードウェアとソフトウェアとを管理するプログラムをＲＡＭ１０３に読み込み、このＯＳを起動させる。このようなＯＳは、ユーザの操作に応じてプログラムを起動したり、情報を読み込んだり、保存を行ったりする。ＯＳのうち代表的なものとしては、Ｗｉｎｄｏｗｓ（登録商標）等が知られている。これらのＯＳ上で走る動作プログラムをアプリケーションプログラムと呼んでいる。なお、アプリケーションプログラムは、所定のＯＳ上で動作するものに限らず、後述の各種処理の一部の実行をＯＳに肩代わりさせるものであってもよいし、所定のアプリケーションソフトやＯＳなどを構成する一群のプログラムファイルの一部として含まれているものであってもよい。
【００１６】
ここで、テロップ再生装置１００は、アプリケーションプログラムとして、テロップ再生プログラムをＨＤＤ１０４に記憶している。この意味で、ＨＤＤ１０４は、テロップ再生プログラムを記憶する記憶媒体として機能する。
【００１７】
また、一般的には、テロップ再生装置１００のＨＤＤ１０４にインストールされるアプリケーションプログラムは、ＤＶＤなどの各種の光ディスク、各種光磁気ディスク、フレキシブルディスクなどの各種磁気ディスク、半導体メモリ等の各種方式のメディア等の記憶媒体１１０に記録され、この記憶媒体１１０に記録された動作プログラムがＨＤＤ１０４にインストールされる。このため、ＤＶＤ等の光情報記録メディアやＦＤ等の磁気メディア等の可搬性を有する記憶媒体１１０も、アプリケーションプログラムを記憶する記憶媒体となり得る。さらには、アプリケーションプログラムは、例えば通信制御装置１０６を介して外部のネットワーク２００から取り込まれ、ＨＤＤ１０４にインストールされても良い。
【００１８】
テロップ再生装置１００は、ＯＳ上で動作するテロップ再生プログラムが起動すると、このテロップ再生プログラムに従い、ＣＰＵ１０１が各種の演算処理を実行して各部を集中的に制御する。テロップ再生装置１００のＣＰＵ１０１が実行する各種の演算処理のうち、本実施の形態の特長的な処理について以下に説明する。
【００１９】
図２は、テロップ再生装置１００の概略的な機能構成を示すブロック図である。図２に示すように、テロップ再生装置１００は、テロップ再生プログラムに従うことにより、テロップ検出手段１、テロップ領域切り出し手段２、テロップ記憶手段３、テロップ情報記憶手段４、テロップ選択手段９、テロップ合成手段１０、映像変化検出手段１１を備える。
【００２０】
以下において、テロップ再生装置１００の各部について説明する。
【００２１】
テロップ検出手段１は、表示部１０７に表示される映像中における表示位置が一定時間以上変化しない静止テロップの消滅または出現を検出する。なお、本実施の形態において処理の対象とする静止テロップは、映像中における画素的な位置が一定時間以上静止しているという性質を持ち、映像を上段、中段、下段に分割したとき、上段あるいは下段の領域にのみ出現するものである。なお、ワイド映像の場合は、左側、中央、右側と三段に分割したとき、左側あるいは右側に出現したものを静止テロップとしても良い。静止テロップの検出は、例えば連続する複数のフレームの画像からエッジを検出し、複数のフレームに共通しているエッジだけを取り出して静止エッジを求める等、既存のいかなるテロップ検出方法を用いてもよい。また、連続する複数のフレームの画像から輝度の変動が少ない画素だけを取り出し、静止エッジと輝度の変動が少ない画素の位置情報から静止テロップ領域を算出するようにしても良い。
【００２２】
テロップ領域切り出し手段２は、テロップ検出手段１で検出した静止テロップに対応する領域のテロップ画像を映像から切り出す。
【００２３】
テロップ記憶手段３は、テロップ領域切り出し手段２で切り出したテロップ画像をＨＤＤ１０４などの記憶部に記憶する。
【００２４】
テロップ情報記憶手段４は、テロップ領域切り出し手段２で切り出したテロップ画像の映像におけるテロップ情報（テロップＩＤ、テロップ画像の座標、各種フラグなど）をテロップ画像に関連付けてテロップ管理テーブルに記憶する。
【００２５】
映像変化検出手段１１は、スロー再生検出手段５、人物検出手段６、ＣＭ検出手段７、歓声検出手段８を有しており、テロップ以外の映像の変化点を検出する。以下において、映像変化検出手段１１が有している各手段について詳述する。
【００２６】
スロー再生検出手段５は、映像のスロー再生を検出する。スロー再生検出は、例えば、全く同じフレーム画像が複数枚連続して特定の周期で続く区間を検出した場合に、映像のスロー再生がなされているものとして検出する。
【００２７】
人物検出手段６は、シーンチェンジ検出手段として機能するものであって、映像中に１人の人物が映っている映像区間を検出する。例えば、顔全体の輪郭に対応した基準テンプレートを用いたテンプレートマッチングによって顔を検出する。
【００２８】
ＣＭ検出手段７は、映像がＣＭ映像である区間を検出する。ＣＭ検出は、例えば１５秒や３０秒間隔で一定以上の無音区間と音声のステレオ／モノラル変換を検出した場合に、ＣＭ映像あると判断して検出する。
【００２９】
歓声検出手段８は、映像に含まれる音声中の歓声が上がった区間を検出する。歓声検出は、例えば左右チャンネル間差分によりアナウンサーや解説者の音声を除去した差分音声のパワースペクトルの特徴量と歓声モデル特徴量との相関をとって閾値以上の区間を歓声区間として検出する。
【００３０】
以上が、映像変化検出手段１１が有している各手段についての説明である。
【００３１】
テロップ選択手段９は、消滅した静止テロップに対応する領域の座標とテロップ情報記憶手段４で記憶しているテロップ情報に含まれる座標とが一致する合成対象のテロップ画像を、テロップ情報記憶手段４で記憶しているテロップ情報に関連付けられたテロップ画像の中から選択する。また、テロップ選択手段９は、テロップ合成手段１０に対して既に映像に対して合成されているテロップ画像の合成を取り止めるように制御する。なお、テロップ選択手段９は、テロップ記憶手段３に記憶されているテロップ画像の映像との合成又は既に合成しているテロップ画像の合成を取止めについて、テロップ出現領域又は映像変化検出手段１１（スロー再生検出手段５、人物検出手段６、ＣＭ検出手段７及び歓声検出手段８）から入力された情報（映像の変化点）からも判定する。
【００３２】
テロップ合成手段１０は、テロップ選択手段９で選択されたテロップ記憶手段３に記憶されている合成対象のテロップ画像と映像とを合成して表示部１０７に表示する、又はテロップ選択手段９の制御に従い、既に映像に対して合成されているテロップ画像の合成を取り止める。
【００３３】
加えて、本実施の形態のテロップ再生装置１００は、テロップ再生プログラムに従うことにより、図２に示すように、テロップ表示操作入力手段１２と、非再現登録手段１３とを備えている。
【００３４】
テロップ表示操作入力手段１２は、ユーザからの入力部１０８を介した指示を受けて、テロップ情報記憶手段４のテロップ管理テーブルに記憶されているテロップ情報にテロップの非表示または表示を登録するものである。これにより、テロップ情報記憶手段４のテロップ管理テーブルの全てのテロップ画像についてのテロップ情報を非表示または表示属性に変更し、テロップ選択手段９はテロップ管理テーブルに合わせたテロップ表示状態になるようにテロップ合成手段１０に通知し、テロップ合成手段１０はテロップ画像の合成、または合成を取り止めることが可能である。
【００３５】
非再現登録手段１３は、ユーザからの入力部１０８を介した指示を受けて、テロップ出現時にテロップ情報記憶手段４のテロップ管理テーブルに記憶されているテロップ情報にテロップの非再現を登録するものである。これにより、テロップ情報記憶手段４のテロップ管理テーブルの全てのテロップ画像についてのテロップ情報をテロップの非再現属性を変更し、テロップ合成手段１０は非再現属性が登録されているテロップ画像は合成しないようにすることが可能である。
【００３６】
次に、テロップ再生装置１００におけるテロップ再生処理について詳述する。ここで、図３はテロップ再生処理の流れを概略的に示すフローチャートである。
【００３７】
図３に示すように、まず、テロップ検出手段１が映像から静止テロップの出現または消滅を検出する（ステップＳ１）。
【００３８】
テロップ検出手段１がテロップ対象領域に新しい静止テロップの出現を検出した場合には（ステップＳ２のＹｅｓ）、検出した静止テロップに対応する領域のテロップ画像をテロップ領域切り出し手段２が映像から切り出す（ステップＳ３）。
【００３９】
そして、テロップ選択手段９は、切り出したテロップ画像の座標がテロップ情報記憶手段４のテロップ管理テーブルに記憶されているテロップ情報に含まれる座標と少なくとも一部分が重複していると判定した場合には（ステップＳ４のＹｅｓ）、テロップ選択手段９はテロップ記憶手段３に記憶されているテロップ画像と映像との合成を取り止めるようにテロップ合成手段１０を制御し、テロップ合成手段１０は少なくとも一部分が重複しているテロップの合成を取り止め（ステップＳ５）、テロップ情報記憶手段４はテロップ管理テーブルに記憶されている合成を取り止めたテロップ画像のテロップ情報を削除し（ステップＳ６）、ステップＳ７に進む。
【００４０】
一方、切り出したテロップ画像の座標がテロップ情報記憶手段４のテロップ管理テーブルに記憶されているテロップ情報に含まれる座標と重複していない場合には（ステップＳ４のＮｏ）、そのままステップＳ７に進む。
【００４１】
ステップＳ７では、テロップ記憶手段３が映像から切り出したテロップ画像を記憶する。その後、テロップ情報記憶手段４は、切り出したテロップ画像に関連付けてテロップ情報（テロップ画像の座標など）をテロップ管理テーブルに記憶し（ステップＳ８）、ステップＳ１１に進む。これにより、テロップ管理テーブルには、常に最新のテロップ情報が記憶されることになる。
【００４２】
また、テロップ検出手段１がテロップ対象領域に新しい静止テロップの出現を検出しない場合には（ステップＳ２のＮｏ）、ステップＳ９に進み、静止テロップが消滅したか否かを判定する。
【００４３】
静止テロップの消滅を検出した場合（ステップＳ９のＹｅｓ）、テロップ選択手段９はテロップ情報記憶手段４のテロップ管理テーブルに記憶されているテロップ情報の中で同一領域の座標のテロップ情報を持つテロップ画像を検索し、テロップ合成手段１０はテロップ記憶手段３から検索したテロップ画像を同一領域に合成し（ステップＳ１０）、ステップＳ１１に進む。
【００４４】
ステップＳ１１では、テロップ合成取り止め判定処理を実行する。ここで、図４はテロップ合成取り止め判定処理の流れを示すフローチャートである。図４に示すように、テロップ合成取り止め判定処理は、スロー再生検出によるテロップ合成取り止め処理（ステップＳ２１）、人物検出によるテロップ合成取り止め処理（ステップＳ２２）、ＣＭ検出によるテロップ合成取り止め処理（ステップＳ２３）、歓声検出によるテロップ合成取り止め処理（ステップＳ２４）の各処理を実行することにより実現される。
【００４５】
まず、スロー再生検出によるテロップ合成取り止め処理（ステップＳ２１）について図５のフローチャートを参照して詳述する。図５に示すように、スロー再生検出手段５が映像からスロー再生の開始を検出し（ステップＳ３１）、テロップ選択手段９がスロー再生の開始であると判定した場合（ステップＳ３２のＹｅｓ）、テロップ選択手段９はテロップ情報記憶手段４のテロップ管理テーブルから現在合成中の全てのテロップ画像を検索して合成を取り止めるようにテロップ合成手段１０を制御し、テロップ合成手段１０は検索したテロップ画像の合成を取り止める（ステップＳ３３）。その後、テロップ選択手段９は、テロップ情報記憶手段４のテロップ管理テーブルから合成を取り止めたテロップ情報を削除する（ステップＳ３４）。
【００４６】
これにより、スロー再生を検出した場合は、リプレイシーン（野球中継の場合には、得点やヒット、ナイスプレー等）の可能性が高く、静止テロップの内容に変化が生じている場合が多く、テロップ情報が過去のものになっているため、合成したテロップ画像を消去することができる。
【００４７】
次に、人物検出によるテロップ合成取り止め処理（ステップＳ２２）について図６のフローチャートを参照して詳述する。図６に示すように、人物検出手段６が映像から人物を検出し（ステップＳ４１）、テロップ選択手段９が１人の人物のみの検出ではないと判定した場合（ステップＳ４２のＮｏ）、テロップ選択手段９はテロップ情報記憶手段４のテロップ管理テーブルから現在合成中の全てのテロップ画像を検索して合成を取り止めるようにテロップ合成手段１０を制御し、テロップ合成手段１０は検索したテロップ画像の合成を取り止める（ステップＳ４３）。その後、テロップ選択手段９は、テロップ情報記憶手段４のテロップ管理テーブルから合成を取り止めたテロップ情報を削除する（ステップＳ４４）。
【００４８】
これにより、１人の人物が検出された時に出現した静止テロップは、人物が消滅した時に合成を消去することができる。具体的には、１人の人物の検出ができなくなったような場合には、野球であればピッチャーの交代のような場合が考えられ、静止テロップの内容に変化が生じている場合が多く、テロップ情報が過去のものになっているため、合成したテロップ画像を消去することができる。
【００４９】
なお、本実施の形態においては、人物検出によるシーンチェンジ（カメラの切り替わり）について説明したが、これに限るものではない。例えば、映像情報のフレームごとの特徴量を算出し、特徴量が類似する連続フレームの集合である複数のシーンに映像情報を分割し、映像情報のフレーム間の類似性が低くなる部分を、シーンチェンジとして検出するようにしても良い。
【００５０】
次に、ＣＭ検出によるテロップ合成取り止め処理（ステップＳ２３）について図７のフローチャートを参照して詳述する。図７に示すように、ＣＭ検出手段７が映像からＣＭを検出し（ステップＳ５１）、テロップ選択手段９がＣＭ映像の開始であると判定した場合（ステップＳ５２のＹｅｓ）、テロップ選択手段９はテロップ情報記憶手段４のテロップ管理テーブルから現在合成中の全てのテロップ画像を検索して合成を取り止めるようにテロップ合成手段１０を制御し、テロップ合成手段１０は検索したテロップ画像の合成を取り止める（ステップＳ５３）。また、テロップ選択手段９がＣＭ映像の終了であると判定した場合（ステップＳ５４のＹｅｓ）、テロップ選択手段９はテロップ情報記憶手段４のテロップ管理テーブルに記録している全てのテロップ画像を検索し、テロップ合成手段１０は検索したテロップ画像を合成する（ステップＳ５５）。
【００５１】
これにより、ＣＭを検出した場合は、合成したテロップ画像を消去するとともに、ＣＭ明けには、同一のテロップ画像を表示することができる。
【００５２】
最後に、歓声検出によるテロップ合成取り止め処理（ステップＳ２４）について図８のフローチャートを参照して詳述する。図８に示すように、歓声検出手段８が映像の音声から歓声を検出し（ステップＳ６１）、テロップ選択手段９が歓声であると判定した場合（ステップＳ６２のＹｅｓ）、テロップ選択手段９はテロップ情報記憶手段４のテロップ管理テーブルから現在合成中の全てのテロップ画像を検索して合成を取り止めるようにテロップ合成手段１０を制御し、テロップ合成手段１０は検索したテロップ画像の合成を取り止める（ステップＳ６３）。その後、テロップ選択手段９は、テロップ情報記憶手段４のテロップ管理テーブルから合成を取り止めたテロップ情報を削除する（ステップＳ６４）。
【００５３】
これにより、歓声を検出した場合は、静止テロップの内容に変化が生じている場合（野球中継の場合には、得点やヒット、ナイスプレー等）が多く、テロップ情報が過去のものになっているため、合成したテロップを消去することができる。
【００５４】
このように本実施の形態によれば、映像中における表示位置が一定時間以上変化しない静止テロップの消滅または出現を映像から検出し、出現した静止テロップに対応する領域のテロップ画像を映像から切り出し、切り出したテロップ画像を記憶し、テロップ画像の映像における座標を含むテロップ情報をテロップ画像に関連付けて記憶し、消滅した静止テロップに対応する領域の座標とテロップ情報に含まれる座標とが一致する合成対象のテロップ画像を、テロップ情報に関連付けられたテロップ画像の中から選択し、合成対象のテロップ画像を映像と合成することにより、受信した映像のみから静止テロップを再現することができる。
【００５５】
なお、本実施の形態においては、テロップ再生装置としてパーソナルコンピュータを適用したが、これに限るものではなく、テレビ、ＨＤＤレコーダ、ワンセグ搭載端末などにも適用可能である。
【００５６】
ここで、テロップ再生装置１００の具体的な動作について具体例を挙げて説明する。
【００５７】
［実施例１］
図９は、テロップ再生装置１００によるテロップ再生の一例を示す説明図である。テロップ検出手段１は、常に映像の上段または下段の静止テロップの出現または消滅を検出している。図９（ａ）に示すように、テロップ検出手段１が、映像２１中に静止テロップであるカウントテロップ（以下、テロップという）の出現を検出すると、テロップ切り出し手段２はテロップに対応する領域のテロップ画像２２を映像２１から切り出す。テロップ記憶手段３は、切り出したテロップ画像２２を記憶する。
【００５８】
また、テロップ情報記憶手段４は、テロップ管理テーブルにテロップ情報として、テロップ画像の座標、合成中フラグ「ＯＦＦ」、表示フラグ「ＯＮ」、非再現フラグ「ＯＦＦ」を登録する。図１０は、テロップ管理テーブルの一例を示す模式図である。図１０に示すテロップ管理テーブルでは、テロップＩＤが「１」のテロップ情報として、テロップ領域の座標、合成中フラグ「ＯＦＦ」、表示フラグ「ＯＮ」、非再現フラグ「ＯＦＦ」が登録されている。
【００５９】
その後、図９（ｂ）に示すように、テロップ検出手段１が映像２３中からテロップの消滅を検出すると、テロップ選択手段９は、消滅したテロップと同一の領域の座標で、合成中フラグが「ＯＦＦ」であり、表示フラグが「ＯＮ」、非再現フラグ「ＯＦＦ」であるテロップ画像をテロップ情報記憶手段４が管理しているテロップ管理テーブルのテロップ情報から検索する。この例では、テロップＩＤが「１」であるテロップ画像が検索されて、テロップ選択手段９はテロップＩＤが「１」であるテロップ画像を合成するということを決定し、テロップＩＤ及びテロップ画像の座標をテロップ合成手段１０に通知する。
【００６０】
テロップ合成手段１０は、テロップ記憶手段３からテロップＩＤが「１」であるテロップ画像を入力し、テロップ画像の座標にテロップ画像３０として合成することにより、映像２４を生成する。
【００６１】
加えて、テロップ選択手段９は、テロップ管理テーブルの合成中フラグを「ＯＮ」にする。
【００６２】
なお、図９の（ｂ）（ｃ）に示す映像２３，２４においては、人物検出手段６は、１人の人物を検出している。
【００６３】
次に、図１１を参照して、テロップ検出手段１がテロップ合成中の映像２４からテロップ３２の出現を検出した場合について説明する。
【００６４】
図１１（ｂ）に示すように、テロップ検出手段１がテロップ３０を合成中の映像２４からテロップ３２の出現を検出すると、テロップ選択手段９は、テロップ管理テーブルの合成中フラグが「ＯＮ」であるテロップ情報から出現したテロップ３２の座標が合成中のテロップ画像３０の座標と少なくとも一部分が重複しているかを検索する。この場合、図１０のテロップＩＤが「１」の合成中のテロップ画像３０（図１１（ａ）参照）の座標と重複しているため、テロップ合成手段１０は、テロップ画像３０の合成を取り止め、テロップ選択手段９はテロップ管理テーブルからテロップＩＤが「１」の情報を削除する。
【００６５】
次いで、テロップ切り出し手段２は、図１１（ｂ）に示す映像３１からテロップ画像３２を切り出し、テロップ記憶手段３は、テロップ切り出し手段２が切り出したテロップ画像３２を記憶する。
【００６６】
また、テロップ情報記憶手段４は、テロップ管理テーブルにテロップ情報として、テロップ画像３２の座標、合成中フラグ「ＯＦＦ」、表示フラグ「ＯＮ」、非再現「ＯＦＦ」を登録する。図１２は、テロップ管理テーブルの一例を示す模式図である。図１２に示すテロップ管理テーブルでは、テロップＩＤが「２」のテロップ情報として、テロップ画像３２の座標、合成中フラグ「ＯＦＦ」、表示フラグ「ＯＮ」、非再現フラグ「ＯＦＦ」が登録されている。
【００６７】
その後、図１１（ｃ）に示すように、テロップ検出手段１が映像３３中からテロップ３２の消滅を検出すると、テロップ選択手段９は、消滅したテロップ３２と同一の領域の座標で、合成中フラグが「ＯＦＦ」であり、表示フラグが「ＯＮ」、非再現フラグ「ＯＦＦ」であるテロップをテロップ情報記憶手段４が管理しているテロップ管理テーブルから検索する。この例では、テロップＩＤが「２」であるテロップ画像が検索されて、テロップ選択手段９はテロップＩＤが「２」であるテロップ画像を合成するということを決定し、テロップＩＤ及びテロップ画像の座標をテロップ合成手段１０に通知する。
【００６８】
テロップ合成手段１０は、テロップ記憶手段３からテロップＩＤが「２」であるテロップ画像を入力し、テロップ画像の座標にテロップ画像４０として合成することにより、映像３４を生成する。
【００６９】
加えて、テロップ選択手段９は、テロップ管理テーブルの合成中フラグを「ＯＮ」にする。
【００７０】
なお、図１１の（ａ）〜（ｄ）に示す映像２４，３１，３３，３４においては、人物検出手段６は、１人の人物を検出している。
【００７１】
次に、図１３を参照して、人物検出手段６により検出される人物に変化が起きた場合について説明する。
【００７２】
図１３（ａ）に示すように、映像３４はテロップ４０を合成中である。この時、テロップ情報記憶手段４が管理しているテロップ管理テーブルを図１４に示す。図１４に示すテロップ管理テーブルでは、テロップＩＤが「３」のテロップ情報として、テロップ画像の座標、合成中フラグ「ＯＮ」、表示フラグ「ＯＮ」、非再現フラグ「ＯＦＦ」が登録されている。
【００７３】
そして、人物検出手段６が、テロップ４０を合成中の映像３４から人物検出ができなくなった場合、または複数の人物を検出した場合（図１３（ｂ）参照）には、その旨をテロップ選択手段９に通知する。
【００７４】
テロップ選択手段９は、テロップ情報記憶手段４が管理しているテロップ管理テーブルの合成中フラグが「ＯＮ」、表示フラグが「ＯＮ」、非再現フラグ「ＯＦＦ」である全てのテロップ画像を検索する。この場合、図１４のテロップＩＤが「３」の合成中のテロップ画像４０の合成を取り止めることになるので、テロップ選択手段９はテロップ管理テーブルからテロップＩＤが「３」の情報を削除する。テロップ合成手段１０は、テロップ画像４０の合成を取り止め、図１３（ｃ）に示す映像４２を生成する。
【００７５】
このように人物検出手段６により検出される人物に変化が起きた場合は、野球であればピッチャーの交代のような場合が考えられ、テロップの内容に変化が生じている場合が多く、テロップ情報が過去のものになっているため、合成したテロップ画像を消去することができる。
【００７６】
［実施例２］
図１５は、テロップ再生装置１００によるテロップ再生の一例を示す説明図である。実施例２は、歓声検出によるテロップ画像の合成取り止めを説明するものである。図１５（ａ）に示すように、映像５１はテロップ５２を合成中である。
【００７７】
この時、テロップ情報記憶手段４が管理しているテロップ管理テーブルを図１６に示す。図１６に示すテロップ管理テーブルでは、テロップＩＤが「４」のテロップ情報として、テロップ画像の座標、合成中フラグ「ＯＮ」、表示フラグ「ＯＮ」、非再現フラグ「ＯＦＦ」が登録されている。
【００７８】
そして、歓声検出手段８が、映像５３の音声から歓声（例えば、ホームラン時の歓声など）を検出した場合（図１５（ｂ）参照）には、その旨をテロップ選択手段９に通知する。
【００７９】
テロップ選択手段９は、テロップ情報記憶手段４が管理しているテロップ管理テーブルの合成中フラグが「ＯＮ」、表示フラグが「ＯＮ」、非再現フラグ「ＯＦＦ」である全てのテロップ画像を検索する。この場合、図１６のテロップＩＤが「４」の合成中のテロップ画像５２の合成を取り止めることになるので、テロップ選択手段９はテロップ管理テーブルからテロップＩＤが「４」の情報を削除する。テロップ合成手段１０は、テロップ画像５２の合成を取り止め、図１５（ｃ）に示す映像５４を生成する。
【００８０】
このように歓声検出手段８により歓声が検出される場合は、テロップの内容に変化が生じている場合（野球中継の場合には、得点やヒット、ナイスプレー等）が多く、テロップ情報が過去のものになっているため、合成したテロップ画像を消去することができる。
【００８１】
［実施例３］
図１７は、テロップ再生装置１００によるテロップ再生の一例を示す説明図である。実施例３は、スロー再生検出によるテロップ画像の合成取り止めを説明するものである。図１７（ａ）に示すように、映像６１はテロップ画像６２を合成中である。
【００８２】
この時、テロップ情報記憶手段４が管理しているテロップ管理テーブルを図１８に示す。図１８に示すテロップ管理テーブルでは、テロップＩＤが「４」のテロップ情報として、テロップ画像の座標、合成中フラグ「ＯＮ」、表示フラグ「ＯＮ」、非再現フラグ「ＯＦＦ」が登録されている。
【００８３】
そして、スロー再生検出手段５が、映像６３からスロー再生の開始（例えば、ヒットの際のスローモーションビデオの再生など）を検出した場合（図１７（ｂ）参照）には、その旨をテロップ選択手段９に通知する。
【００８４】
テロップ選択手段９は、テロップ情報記憶手段４が管理しているテロップ管理テーブルの合成中フラグが「ＯＮ」、表示フラグが「ＯＮ」、非再現フラグ「ＯＦＦ」である全てのテロップ画像を検索する。この場合、図１８のテロップＩＤが「４」の合成中のテロップ画像６２の合成を取り止めることになるので、テロップ選択手段９はテロップ管理テーブルからテロップＩＤが「４」の情報を削除する。テロップ合成手段１０は、テロップ画像６２の合成を取り止め、図１７（ｃ）に示す映像６４を生成する。
【００８５】
このようにスロー再生検出手段５によりスロー再生が検出される場合は、リプレイシーン（野球中継の場合には、得点やヒット、ナイスプレー等）の可能性が高く、テロップの内容に変化が生じている場合が多く、テロップ情報が過去のものになっているため、合成したテロップ画像を消去することができる。
【００８６】
［実施例４］
図１９は、テロップ再生装置１００によるテロップ再生の一例を示す説明図である。実施例４は、ＣＭ検出によるテロップ画像の合成取り止めを説明するものである。図１９（ａ）に示すように、映像７１はテロップ画像７２を合成中である。
【００８７】
この時、テロップ情報記憶手段４が管理しているテロップ管理テーブルを図２０に示す。図２０に示すテロップ管理テーブルでは、テロップＩＤが「４」のテロップ情報として、テロップ画像の座標、合成中フラグ「ＯＮ」、表示フラグ「ＯＮ」、非再現フラグ「ＯＦＦ」が登録されている。
【００８８】
そして、ＣＭ検出手段７が、映像７３からＣＭの開始を検出した場合（図１９（ｂ）参照）には、その旨をテロップ選択手段９に通知する。
【００８９】
テロップ選択手段９は、テロップ情報記憶手段４が管理しているテロップ管理テーブルの合成中フラグが「ＯＮ」、表示フラグが「ＯＮ」、非再現フラグ「ＯＦＦ」である全てのテロップ画像を検索して合成を取り止めるようにテロップ合成手段１０を制御し、図２１に示すように合成中フラグを「ＯＦＦ」とし、合成の取り止めを決定する。この場合、図１８のテロップＩＤが「４」の合成中のテロップ画像７２の合成を取り止めることになる。すなわち、テロップ合成手段１０は、テロップ画像７２の合成を取り止め、図１９（ｃ）に示す映像７４を生成する。
【００９０】
一方、ＣＭ検出手段７が、図２２（ａ）に示すＣＭ中の映像８１が終了したことを、映像８２から検出した場合（図２２（ｂ）参照）には、その旨をテロップ選択手段９に通知する。
【００９１】
テロップ選択手段９は、テロップ情報記憶手段４が管理しているテロップ管理テーブルの合成中フラグが「ＯＦＦ」、表示フラグが「ＯＮ」、非再現フラグ「ＯＦＦ」である全てのテロップ画像を検索し、合成中フラグを「ＯＮ」とし、合成を決定する。この場合、図２１のテロップＩＤが「４」のテロップ画像を合成することになる。すなわち、テロップ合成手段１０は、テロップ画像８４を合成することにより図２２（ｃ）に示す映像８３を生成する。
【００９２】
このようにＣＭ検出手段７によりＣＭが検出される場合は、合成したテロップ画像を消去するとともに、ＣＭ明けには、同一のテロップ画像を表示することができる。
【００９３】
［実施例５］
図２３は、テロップ再生装置１００によるテロップ再生の一例を示す説明図である。実施例５は、テロップ画像の非再現登録を説明するものである。図２３に示すように、映像９１は標準速度でリプレイ中の映像でリプレイテロップ（以下、テロップという）９２が出現している。ここで、テロップ９２は、例えば、野球中継の場合において、昨日の打席や前の打席、ハイライト、リプレイ等のＶＴＲを表すテロップである。
【００９４】
この時、テロップ情報記憶手段４が管理しているテロップ管理テーブルを図２４に示す。図２４に示すテロップ管理テーブルでは、テロップＩＤが「５」のテロップ情報として、テロップ画像の座標、合成中フラグ「ＯＦＦ」、表示フラグ「ＯＮ」、非再現フラグ「ＯＦＦ」が登録されている。
【００９５】
テロップ検出手段１が、映像９１中にテロップ９２の出現を検出すると、テロップ切り出し手段２はテロップ画像９２を映像９１から切り出す。テロップ記憶手段３は、切り出したテロップ画像９２を画像として記憶する。
【００９６】
この時、非再現登録手段１３の一部として機能する「非再現ボタン」（図示せず）をユーザが操作した場合、テロップ情報記憶手段４は、テロップ管理テーブルから合成中フラグ「ＯＦＦ」、表示フラグ「ＯＮ」、非再現フラグ「ＯＦＦ」の全てのテロップ画像を検索する。テロップ情報記憶手段４は、検索したテロップの非再現フラグを「ＯＮ」とする。ここでは、図２４のテロップＩＤが「５」のテロップ９２の非再現フラグを「ＯＮ」とする。非再現登録以降は、テロップ選択手段９は、非再現フラグが「ＯＦＦ」属性のテロップ画像を合成の対象とするため、テロップ合成手段１０は、テロップ画像９２の合成を取り止めることになる。
【００９７】
このようにリプレイテロップ９２（例えば、昨日の打席や前の打席、ハイライト、リプレイ等のＶＴＲを表すテロップ）が出現した際には、非再現登録手段１３の一部として機能する「非再現ボタン」をユーザが操作することにより、ＶＴＲを表すテロップ画像９２を非再現登録し、非再現登録以降は、テロップ画像９２の合成を取り止めることができる。
【００９８】
［実施例６］
図２５は、テロップ再生装置１００によるテロップ再生の一例を示す説明図である。実施例６は、テロップ画像の手動表示を説明するものである。図２５（ａ）に示すように、映像２０１はテロップ消滅中である。
【００９９】
テロップ画像の手動表示の宣言は、テロップ表示操作入力手段１２の一部として機能する「表示／非表示ボタン」（図示せず）をユーザに操作させることにより行われる。
【０１００】
テロップ画像の手動表示の際には、テロップ検出手段１がテロップを検出する毎に、テロップ切り出し手段２は検出したテロップ画像を映像から切り出し、テロップ記憶手段３はテロップ画像を記憶する。
【０１０１】
また、テロップ情報記憶手段４は、テロップ画像の手動表示の際には、検出したテロップ管理テーブルのテロップ情報を消去しないものとする。
【０１０２】
テロップの手動表示の際に、テロップ情報記憶手段４が管理しているテロップ管理テーブルの一例を図２６に示す。図２６に示すテロップ管理テーブルでは、テロップＩＤが「６」〜「９」のテロップ情報として、テロップ画像の座標、合成中フラグ「ＯＦＦ」、表示フラグ「ＯＦＦ」、非再現フラグ「ＯＦＦ」、テロップ出現時刻がそれぞれ登録されている。
【０１０３】
ここで、テロップ表示操作入力手段１２の一部として機能する「表示／非表示ボタン」（図示せず）をユーザに操作させ、テロップ表示の宣言が行われた場合について説明する。
【０１０４】
テロップ表示が宣言されると、テロップ選択手段９は、テロップ管理テーブルからテロップ出現時刻が最も直近の時刻であるテロップ画像を検索する。図２６に示す例では、テロップＩＤ「９」の投手名テロップ２０３（図２５（ｂ）参照）が検索され、テロップ情報記憶手段４はテロップＩＤ「９」の表示フラグを「ＯＮ」とする。
【０１０５】
テロップ選択手段９は、テロップＩＤ「９」の合成中フラグを「ＯＮ」とし、テロップ合成手段１０は、映像２０１にテロップ画像２０３を合成して図２５（ｂ）に示す映像２０２を生成する。
【０１０６】
さらに、テロップ表示操作入力手段１２を介して表示指示操作が行なわれると、テロップ選択手段９は、テロップ管理テーブルから表示フラグ「ＯＦＦ」であるテロップ画像のうち、次に直近の出現時刻のテロップ画像を検索する。図２６に示す例では、テロップＩＤ「８」のリプレイテロップ２０５（図２５（ｃ）参照）が検索され、テロップ情報記憶手段４はテロップＩＤ「９」の合成中フラグ「ＯＦＦ」、表示フラグ「ＯＦＦ」とし、テロップＩＤ「８」の表示フラグを「ＯＮ」とする。
【０１０７】
テロップ選択手段９は、テロップＩＤ「８」の合成中フラグを「ＯＮ」とし、テロップ合成手段１０は、映像２０１にテロップ画像２０５を合成して図２５（ｂ）に示す映像２０４を生成する。
【０１０８】
さらに、テロップ表示操作入力手段１２を介して表示指示操作が行なわれると、テロップ選択手段９は、テロップ管理テーブルから表示フラグ「ＯＦＦ」であるテロップ画像のうち、次に直近の出現時刻のテロップ画像を検索する。図２７に示す例では、テロップＩＤが「７」のカウントテロップ２１２（図２７（ｂ）参照）が検索され、テロップ情報記憶手段４はテロップＩＤ「８」の合成中フラグ「ＯＦＦ」、表示フラグ「ＯＦＦ」とし、テロップＩＤ「７」の表示フラグを「ＯＮ」とする。
【０１０９】
テロップ選択手段９は、テロップＩＤ「７」の合成中フラグを「ＯＮ」とし、テロップ合成手段１０は、映像２０１にテロップ画像２１２を合成して図２７（ｂ）に示す映像２１１を生成する。
【０１１０】
さらに、テロップ表示操作入力手段１２を介して表示指示操作が行なわれると、テロップ選択手段９は、テロップ管理テーブルから表示フラグ「ＯＦＦ」であるテロップ画像のうち、次に直近の出現時刻のテロップ画像を検索する。図２７に示す例では、テロップＩＤが「６」の打者名テロップ画像２１４（図２７（ｃ）参照）が検索され、テロップ情報記憶手段４はテロップＩＤ「７」の合成中フラグ「ＯＦＦ」、表示フラグ「ＯＦＦ」とし、テロップＩＤ「６」の表示フラグを「ＯＮ」とする。
【０１１１】
テロップ選択手段９は、テロップＩＤ「６」の合成中フラグを「ＯＮ」とし、テロップ合成手段１０は、映像２０１にテロップ画像２１４を合成して図２７（ｃ）に示す映像２１３を生成する。
【０１１２】
このようにすることにより、テロップ画像を過去に遡って見ることができるようになる。例えば、カウントの推移などを過去に遡って見ることができるようになる。
【０１１３】
なお、映像２１３の状態で、一定時間経過するか又は映像の変化点検出やテロップ領域の重複等の合成取り止め判定された場合、テロップ画像２１４の合成を取り止める。
【０１１４】
また、リプレイテロップについては、スロー再生の検出等により識別することで、記憶せずに、または表示指示操作が行なわれても合成せずに、その前の時刻のテロップ画像を合成するようにしてもよい。さらに、テロップの領域ごとに最新の数個のみを記憶し、例えばカウントテロップ等の大量のテロップ画像を記憶・表示しないようにしてもよい。さらにまた、領域の異なる複数のテロップ画像をまとめて表示するようにしてもよい。また、テロップ画像に加えて表示されていた時刻を表す情報を表示するようにしてもよい。
【０１１５】
なお、本実施例においては、テロップ表示操作入力手段１２の一部として機能する「表示／非表示ボタン」（図示せず）をユーザに操作させることにより、テロップ画像の手動表示の宣言を行うようにしたが、これに限るものではない。例えば、折り畳み又は開閉可能なワンセグ搭載端末を適用したような場合には、端末を閉じている間もテレビ映像を受信しておき、端末を開いた時にテロップ画像の手動表示の宣言を行うようにすることができる。
【０１１６】
また、折り畳み又は開閉可能なワンセグ搭載端末を開く操作に代えて、テレビ視聴に切り替える操作の際に、テロップ画像の手動表示の宣言を行うようにしても良い。この場合、折り畳みまたは開閉可能でないテレビでも実施可能である。
【図面の簡単な説明】
【０１１７】
【図１】本発明の実施の一形態にかかるテロップ再生装置の構成を示すブロック図である。
【図２】テロップ再生装置の概略的な機能構成を示すブロック図である。
【図３】テロップ再生処理の流れを概略的に示すフローチャートである。
【図４】テロップ合成取り止め判定処理の流れを示すフローチャートである。
【図５】スロー再生検出によるテロップ合成取り止め処理の流れを示すフローチャートである。
【図６】人物検出によるテロップ合成取り止め処理の流れを示すフローチャートである。
【図７】ＣＭ検出によるテロップ合成取り止め処理の流れを示すフローチャートである。
【図８】歓声検出によるテロップ合成取り止め処理の流れを示すフローチャートである。
【図９】テロップ再生装置によるテロップ再生の一例を示す説明図である。
【図１０】テロップ管理テーブルの一例を示す模式図である。
【図１１】テロップ再生装置によるテロップ再生の一例を示す説明図である。
【図１２】テロップ管理テーブルの一例を示す模式図である。
【図１３】テロップ再生装置によるテロップ再生の一例を示す説明図である。
【図１４】テロップ管理テーブルの一例を示す模式図である。
【図１５】テロップ再生装置によるテロップ再生の一例を示す説明図である。
【図１６】テロップ管理テーブルの一例を示す模式図である。
【図１７】テロップ再生装置によるテロップ再生の一例を示す説明図である。
【図１８】テロップ管理テーブルの一例を示す模式図である。
【図１９】テロップ再生装置によるテロップ再生の一例を示す説明図である。
【図２０】テロップ管理テーブルの一例を示す模式図である。
【図２１】テロップ管理テーブルの一例を示す模式図である。
【図２２】テロップ再生装置によるテロップ再生の一例を示す説明図である。
【図２３】テロップ再生装置によるテロップ再生の一例を示す説明図である。
【図２４】テロップ管理テーブルの一例を示す模式図である。
【図２５】テロップ再生装置によるテロップ再生の一例を示す説明図である。
【図２６】テロップ管理テーブルの一例を示す模式図である。
【図２７】テロップ再生装置によるテロップ再生の一例を示す説明図である。
【符号の説明】
【０１１８】
１      テロップ検出手段
２      テロップ領域切り出し手段
３      テロップ記憶手段
４      テロップ情報記憶手段
５      スロー再生検出手段
６      シーンチェンジ検出手段
７      ＣＭ検出手段
８      歓声検出手段
９      テロップ選択手段
１０    テロップ合成手段
１１    映像変化検出手段
１２    テロップ表示操作入力手段
１３    非再現登録手段
１００  テロップ再生装置
【図１】
2008199464.tif 000003
【図２】
2008199464.tif 000004
【図３】
2008199464.tif 000005
【図４】
2008199464.tif 000006
【図５】
2008199464.tif 000007
【図６】
2008199464.tif 000008
【図７】
2008199464.tif 000009
【図８】
2008199464.tif 000010
【図９】
2008199464.tif 000011
【図１０】
2008199464.tif 000012
【図１１】
2008199464.tif 000013
【図１２】
2008199464.tif 000014
【図１３】
2008199464.tif 000015
【図１４】
2008199464.tif 000016
【図１５】
2008199464.tif 000017
【図１６】
2008199464.tif 000018
【図１７】
2008199464.tif 000019
【図１８】
2008199464.tif 000020
【図１９】
2008199464.tif 000021
【図２０】
2008199464.tif 000022
【図２１】
2008199464.tif 000023
【図２２】
2008199464.tif 000024
【図２３】
2008199464.tif 000025
【図２４】
2008199464.tif 000026
【図２５】
2008199464.tif 000027
【図２６】
2008199464.tif 000028
【図２７】
2008199464.tif 000029